(57)【要約】  少なくとも１つの典型的な特徴は、（ａ）コードの第１端部にあるプラグ要素と、（ｂ）前記コードの反対端の第２端にあるコンセント要素と、（ｃ）前記コードの少なくとも一部分を囲むグーズネック要素とからなる装置である。
2015528190.tif 000002
【特許請求の範囲】
【請求項１】
コードの第１端部にあるプラグ要素と、
前記コードの反対端の第２端にあるコンセント要素と、
前記コードの少なくとも一部分を囲むグーズネック要素と、を備える装置。
【請求項２】
前記グーズネック要素は、アルミニウムのアーマチュア要素からなる請求項１に記載の装置。
【請求項３】
前記アルミニウムのアーマチュア要素は、柔軟なプラスチックのスリーブでモールドされている請求項２に記載の装置。
【請求項４】
前記グーズネック要素は、個々のユニットを備える熱可塑性の組立て体からなる請求項１に記載の装置。
【請求項５】
前記熱可塑性の組立て体は、熱可塑性の弾性管の中に封入される請求項４に記載の装置。
【請求項６】
前記熱可塑性材は、ポリカーボネートである請求項４に記載の装置。
【請求項７】
前記グーズネック要素は、前記コンセント要素に取り付けられる請求項１に記載の装置。  
【請求項８】
前記コンセント要素は、複数の差込口を備える請求項１に記載の装置。
【請求項９】
前記装置は、さらに１つ以上のＵＳＢ端子を備える請求項１に記載の装置。
【請求項１０】
前記コンセント要素の少なくとも１つの差込口は、非ＵＳプラグに対応する請求項１に記載の装置。
【請求項１１】
前記プラグ要素の少なくとも１つのプラグは、非ＵＳ差込口に従う請求項１に記載の装置。
【請求項１２】
前記装置は、さらにサージプロテクタを備える請求項１に記載の装置。
【請求項１３】
前記コンセント要素の少なくとも１つの差込口は、アース差込口である請求項１に記載の装置。
【請求項１４】
前記コンセント要素の少なくとも１つの差込口は、非アース差込口である請求項１に記載の装置。
【請求項１５】
前記プラグ要素の少なくとも１つのプラグは、アースプラグである請求項１に記載の装置。
【請求項１６】
前記プラグ要素の少なくとも１つのプラグは、非アースプラグである請求項１に記載の装置。
【発明の詳細な説明】
【技術分野】
【０００１】
この出願は、巻き付け可能な延長コード装置の名称で２０１２年７月１８日に出願された米国仮特許出願Ｎｏ．６１／６７２８５９の優先権を主張する出願である。上記出願の全ての内容は、ここでは参照することによって組み入れられる。
【発明の概要】
【０００２】
典型的な実施例は、一端でプラグ要素に結合され、他端でコンセント要素に結合される延長コード要素を備える巻き付け可能な延長コード装置を備える。２つの端部の間に柔軟なグーズネック要素（すなわち、柔軟な継ぎ目のある管）が在る。
【０００３】
典型的な使用方法は、ラップトップ、時計、又は他の装置に電力供給をするために寝台支柱の周りに巻き付けたり、電動工具に電力を供給するために（コードがゆるんでぶら下がらないように）はしごの脚の周りに巻き付けたり、コンセントにプラグを差し込むために机の下に伸ばす必要がないよう、机の脚に付けたりすることを含む。
【０００４】
少なくとも１つの典型的な特徴は、（ａ）コードの第１端部にあるプラグ要素と、（ｂ）該コードの反対端の第２端にあるコンセント要素と、（ｃ）該コードの少なくとも一部分を囲むグーズネック要素とを備える。
【０００５】
種々の典型的な実施例では、（１）該グーズネック要素はアルミニウムのアーマチュア要素からなり、（２）該アルミニウムのアーマチュア要素は柔軟なプラスチックのスリーブでモールドされており、（３）該グーズネック要素は個々のユニットを備える熱可塑性の組立て体からなり、（４）該熱可塑性の組立て体は熱可塑性の弾性管の中に封入され、（５）該熱可塑性材はポリカーボネートであり、（６）該グーズネック要素はコンセント要素に取り付けられ、（７）該コンセント要素は複数の差込口を含み、（８）該装置はさらに１つ以上のＵＳＢ端子を備え、（９）コンセント要素の少なくとも１つの差込口は非ＵＳプラグに対応し、（１０）プラグ要素の少なくとも１つのプラグは非ＵＳ差込口に従い、（１１）該装置はさらにサージプロテクタを備え、（１２）該コンセント要素の少なくとも１つの差込口はアース差込口であり、（１３）該コンセント要素の少なくとも１つの差込口は非アース差込口であり、（１４）該プラグ要素の少なくとも１つのプラグはアースプラグであり、及び／又は（１５）該プラグ要素の少なくとも１つのプラグは非アースプラグである。
【０００６】
その使用方法及び製造方法を含むその他の特徴や実施例については、当業者ならばここに提供される詳細な説明及び図面に徴すれば明らかとなろう。
【図面の簡単な説明】
【０００７】
【図１】巻き付け可能な延長コード装置の典型的な実施例を示す。
【図２】典型的な要素／材料についての説明を提供する。
【図３】延長コード装置１００の典型的な実施例の斜視図を示す。
【図４】延長コード装置１００の典型的な実施例の斜視図を示す。
【図５】延長コード装置１００の典型的な実施例の斜視図を示す。
【図６】装置１００の典型的な実施例を形成する要素の斜視図を示す。
【図７】装置１００の典型的な実施例を形成する要素の斜視図を示す。
【図８】装置１００の典型的な実施例を形成する要素の斜視図を示す。
【図９】延長コード装置１００の典型的な実施例の斜視図を示す。
【図１０】延長コード装置１００の典型的な実施例の斜視図を示す。
【図１１】延長コード装置１００の典型的な実施例の斜視図を示す。
【図１２】延長コード装置１００の典型的な実施例の斜視図を示す。
【図１３】延長コード装置１００の典型的な実施例の斜視図を示す。
【図１４】延長コード装置１００の典型的な実施例の斜視図を示す。
【図１５】その他の典型的な要素／材料についての説明を提供する。
【発明を実施するための形態】
【０００８】
図１は、巻き付け可能な延長コード装置の典型的な実施例を示す。この実施例において、装置１００は一端のプラグ要素１２０と結合し、反対端のコンセント要素１３０と結合する延長コード要素１１０を備える。柔軟なグーズネック要素１４０が該２つの端部の間に在る。
【０００９】
グーズネック要素１４０は典型的な実施例では、例えば、約１８インチ（４５ｃｍ）の長さであってよく、延長コード要素１１０の部分の周りを覆い、それから柔軟なプラスチックアーマチュアスリーブ１６０でモールドされたアルミニウムのアーマチュア要素１５０を備えてもよい。図２ないし６を参照。
【００１０】
他の典型的な実施例では、前記要素１５０は背骨の脊椎のように作用する個々のユニットから作られる熱可塑性材（ポリカーボネイト）組立て体であり、前記要素１６０はモールドされておらず、そのかわりグーズネック組立て体が挿入される熱可塑性弾性材から作られた波形が付けられた柔軟な管からなる。図９ないし１５を参照。
【００１１】
グーズネック要素は位置的な柔軟を許容し、任意の適切な長さであってよい。延長コード要素１１０もまた、任意の適切な長さであってよく、標準長さは６（１８３ｃｍ），９（２７４ｃｍ）、及び１２フィート（３６６ｃｍ）である。
【００１２】
典型的な使用方法は、次のとおり。（ａ）ユーザが（例えば、携帯電話を差込充電するために）寝台支柱の周りにグーズネックを巻き付ける、（ｂ）ユーザがはしごに乗って作業し、電動工具のコードが揺れないようにグーズネック要素を該はしごの脚に巻き付ける、（ｃ）机の下にあるテーブルタップを使うのを避けるべく、ユーザがグーズネック要素を作業机要素の周りに巻き付ける（例えば、モニターを差し込む）。
【００１３】
典型的な実施例では、コンセント要素１３０は、例えば、ポリカーボネイト（ＰＣ）又はＡＢＳ樹脂から作られ、内部の電気的接続点は銅から作られる。図２ないし６を参照。しかしながら、延長コード装置１００の要素を作るのに種々の材料が用いられてよいことは、当業者ならば理解されよう。
【００１４】
図３ないし５は、延長コード装置１００の斜視図を示し、図６ないし８は該装置１００を形成する要素の斜視図を示す。
【００１５】
図３ないし５において、延長コード装置１００は「巻き付けられてない」構成が示されており、グーズネック要素１４０は実質的に真っ直ぐである。そのうえ、延長コード１１０の多くの部分は図示されておらず、プラグ要素１２０とグーズネック要素１４０の間のギャップ１８０で代わられている。
【００１６】
図６ないし８は、装置１００の種々の要素を分けて示す分解図を示す。示されるように、アーマチュア１５０はアーマチュアスリーブ１６０を介してコンセント要素１３０に取り付けられてよい。コンセント要素１３０は、銅で作られてよい（図２参照）内部接続点６２０を備えてよい。
【００１７】
図９ないし１４は、延長コード装置１００の典型的な実施例の斜視図を示す。図１５は、該実施例に係る典型的な要素／材料を提供する。
【００１８】
ここでは、典型的な特徴や実施例について説明してきたが、多くの代替、修正、又は変形が可能なことは当業者ならば明らかであろう。例えば、１つ以上の実施例において、（ａ）コンセントが複数の差込口を例えば各側面に備え、２つより多くの側面を有してよく、（ｂ）該装置（例えば、コンセント要素）が１つ以上のＵＳＢ端子を備えてよく、（ｃ）該装置が１つ以上のサージプロテクタを備えてよく、（ｄ）コンセントとプラグは、種々の非ＵＳ及び国際標準（例えば、ＢＳ５４６，ＣＥＥ７など）にしたがってよく、アースされ又はアースされなくてよく、分極され又は分極されなくてよい。
【００１９】
したがって、ここで明らかとした典型的な特徴や実施例は例示と意図されるものであり、これらに限定するものではない。種々の変更が本開示の精神や範囲から離れない範囲において可能である。
【図１】
2015528190.tif 000003
【図２】
2015528190.tif 000004
【図３】
2015528190.tif 000005
【図４】
2015528190.tif 000006
【図５】
2015528190.tif 000007
【図６】
2015528190.tif 000008
【図７】
2015528190.tif 000009
【図８】
2015528190.tif 000010
【図９】
2015528190.tif 000011
【図１０】
2015528190.tif 000012
【図１１】
2015528190.tif 000013
【図１２】
2015528190.tif 000014
【図１３】
2015528190.tif 000015
【図１４】
2015528190.tif 000016
【図１５】
2015528190.tif 000017
【国際調査報告】
2015528190.tif 000018